(57)【要約】【課題】衣類の仕上がり効果を低下させることなく夜間に低騒音で処理できる運転モードを備えた布材処理装置を提供する。【解決手段】収容空間ＳＲを規定する筐体６００と、筐体６００内の布材ＦＢを揺らすための駆動機構７００と、収容空間ＳＲ内を循環もしくは収容空間ＳＲの外の外部空間から収容空間ＳＲへ流入する気流を生成する送風部３００とを備え、送風部３００は、気流を生じさせる送風ファン３１０と、気流を清浄化する清浄化部３７０と、気流を加熱する加熱部３５０とを含み、霧化液を生成する霧化部２００を更に備え、駆動機構７００と、送風部３００の運転モードを切替える制御部４００を備え、制御部４００は、運転モードが静音モードに設定されたときは、駆動機構７００による揺動量と、送風部３００による送風量と、加熱部３５０への通電量を低下させるとともに、運転時間を通常の運転モードより長く設定する。【選択図】図１
2016013364.tif 000002
【特許請求の範囲】
【請求項１】
布材が収容された収容空間内で、前記布材に所定の処理を施与する布材処理装置であって、
前記収容空間を規定する筐体と、
前記筐体の前記布材を揺らすための駆動機構と、
前記収容空間内を循環もしくは前記収容空間の外部から前記収容空間へ流入する気流を生成する送風部とを備え、
前記送風部は、
気流を生じさせる送風ファンと、
気流を清浄化する清浄化部と、
気流を加熱する加熱部と、を含み、
霧化液を生成する霧化部を更に備え、
前記駆動機構と、前記送風部の運転モードを切替える制御部を備え、
前記制御部は、運転モードが静音（夜間）モードに設定されたときは、
前記駆動機構による揺動量と、前記送風部による送風量と、加熱部への通電量を低下させるとともに、運転時間を他の運転モードより長く設定することを特徴とする布材処理装置。
【請求項２】
時計機能を有する時計部を備え、制御部は、前記時計部により計時された時刻が予め定められた時間帯である場合は、運転モードを静音（夜間）モードでの運転に切替えることを特徴とした請求項１記載の布材処理装置。
【請求項３】
運転モードを報知する報知部を備え、制御部は、時計部により計時された時刻が予め定められた時間帯である場合は、前記報知部の出力を低下させることを特徴とした請求項２記載の布材処理装置。
【発明の詳細な説明】
【技術分野】
【０００１】
本発明は、霧化液を用いて布材に所定の処理を施与する布材処理装置の制御に関するものである。
【背景技術】
【０００２】
収容空間にスチームを供給する技術は、収容空間内に収容された衣類の皺を解消することや、衣類に対する除菌処理に有用である（例えば、特許文献１参照）。
【先行技術文献】
【特許文献】
【０００３】
【特許文献１】特開平１０−８０３３１号公報
【発明の概要】
【発明が解決しようとする課題】
【０００４】
しかしながら、前記従来の構成では、衣類の消臭・乾燥、及び皺の解消といった一連の運転を効率良く行うことを優先して、乾燥・送風等を行う各負荷の動作を制御するので、騒音が発生し、静かな夜間の運転に適さないという課題を有してした。
【０００５】
また、衣類を消臭・乾燥、及び皺の解消のために所定の処理時間（数時間）が必要であり、電気料金が高いという課題を有していた。
【０００６】
本発明は、前記従来の課題を解決するもので、衣類の脱臭（消臭）・乾燥及び皺の解消といった一連の運転を衣類の仕上がり効果を低下させることなく、低騒音で処理できる運転モードを備えた布材処理装置を提供することを目的とする。
【０００７】
また、電気料金の安価な深夜電力供給時間帯内に自動的に運転を開始して、深夜電力の有効利用を可能にした布材処理装置を提供することを目的とする。
【課題を解決するための手段】
【０００８】
前記従来の課題を解決するために、本発明の布材処理装置は、布材が収容された収容空間を規定する筐体と、前記筐体の上部にハンガーを介して前記布材を揺らすための駆動機構と、前記収容空間内を循環もしくは前記収容空間の外の外部空間から前記収容空間へ流入する気流を生成する送風部とを備え、前記送風部は、気流を生じさせる送風ファンと、気流を清浄化する清浄化部と、気流を加熱する加熱部と、を含み、霧化液を生成する霧化部を更に備え、前記駆動機構と、前記送風部の運転モードを切替える制御部を備え、前記制御部は、運転モードが静音（夜間）モードに設定されたときは、前記駆動機構による揺動量と、前記送風部による送風量と、加熱部への通電量を低下させるとともに、運転時間を通常の運転モードより長く設定するようにしたものである。
【０００９】
これによって、夜間の運転時には、騒音発生源である前記駆動機構による揺動量と、前記送風部の前記送風ファンを通常運転モードの時より低いレベルで制御するとともに、気流を加熱する加熱部を低温に設定する。そして、衣類の仕上がり効果を通常モード時より低下させることのないように、運転時間をより長く設定することにより、通常モードと同等の衣類の仕上がり効果を実現するものである。
【００１０】
また、時計機能を有する時計部を備え、制御部は、前記時計部により計時された時刻が予め定められた時間帯である場合は、運転モードを静音（夜間）モードでの運転に切替え
るようにしたものである。
【００１１】
これによって、予め定められた夜の時間が来れば使用者が操作しなくても布材処理装置が自動的に静音（夜間）モードに移行するので、使い勝手が良い。
【００１２】
また、運転モードを報知する報知部を備え、前記制御部は、前記時計部により計時された時刻が予め定められた時間帯である場合は、前記報知部の出力を低下させるようにしたものである。
【００１３】
これによって、前記制御部は、夜間の使用者による操作キーの受付音や、運転状態を報知するといった報知部の出力を低下させることで、静音化が図れ、周囲が暗くなったとき表示部が明るくて気になることも無くなり使い勝手が良い。
【発明の効果】
【００１４】
本発明の布材処理装置は、衣類の脱臭・乾燥そして皺の解消といった一連の運転を衣類の仕上がり効果を低下させることなく低騒音で処理できる運転モードを備えているので、夜間の静かな環境下でも運転をすることができる。
【００１５】
また、電気料金の安価な深夜電力供給時間帯内に自動的に運転を開始終了することができるので、使用性が良く経済的な布材処理装置を提供することができる。
【図面の簡単な説明】
【００１６】
【図１】本発明の実施の形態１における布材処理装置の霧化制御時を示す概略的なブロック図
【図２】同布材処理装置の制御モードを表す概略的なタイミングチャート
【図３】同布材処理装置の各制御モードにおける各負荷の制御状態を示す図
【図４】同布材処理装置の脱臭制御時を示す概略的なブロック図
【図５】同布材処理装置の乾燥制御時を示す概略的なブロック図
【図６】同布材処理装置の制御構造を示すブロック図
【図７】（ａ）同布材処理装置の通常運転モード時の消費電力量を表すタイムチャート          （ｂ）同布材処理装置の静音運転モード時の消費電力量を表すタイムチャート
【図８】本発明の実施の形態３における布材処理装置の制御構造を示すブロック図
【図９】同布材処理装置の報知部の正面図
【発明を実施するための形態】
【００１７】
第１の発明は、布材が収容された収容空間内で、前記布材に所定の処理を施与する布材処理装置であって、前記収容空間を規定する筐体と、前記筐体の上部にハンガーを介して前記布材を揺らすための駆動機構と、前記収容空間内を循環もしくは前記収容空間の外の外部空間から前記収容空間へ流入する気流を生成する送風部とを備え、前記送風部は、気流を生じさせる送風ファンと、気流を清浄化する清浄化部と、気流を加熱する加熱部と、を含み、霧化液を生成する霧化部を更に備え、前記駆動機構と、前記送風部の運転モードを切替える制御部を備え、前記制御部は、運転モードが静音（夜間）モードに設定されたときは、前記駆動機構による揺動量と、前記送風部による送風量と、加熱部への通電量を低下させるとともに、運転時間を他の運転モードより長く設定する。
【００１８】
これにより、夜間の運転時には、騒音発生源である前記駆動機構による揺動量と、前記送風部の前記送風ファンを通常運転モードの時より低いレベルで制御するとともに、気流を加熱する加熱部もより低温に設定する。そして、衣類の仕上がり効果を通常モード時より低下させることがないよう、運転時間を通常モード時より長く設定することにより、通
常モードと同等の衣類の仕上がり効果を実現することができるので、使用性の良い布材処理装置を提供することができる。
【００１９】
第２の発明は、特に、第１の発明の布材処理装置に加えて、時計機能を有する時計部を備え、前記制御部は、前記時計部により計時された時刻が予め定められた時間帯である場合は、運転モードを静音（夜間）モードでの運転に切替えるようにしたものである。
【００２０】
これにより、予め定められた時間帯（夜）では、使用者が操作しなくても布材処理装置が自動的に静音（夜間）モードの運転に移行するので、使用性の良い布材処理装置を提供することができる。
【００２１】
第３の発明は、特に、第２または第３の発明の布材処理装置に加えて、運転モードを報知する報知部を備え、前記制御部は、前記時計部により計時された時刻が予め定められた時間帯である場合は、前記報知部の出力を低下させるようにしたものである。
【００２２】
これにより、前記制御部は、夜間の使用者による操作キーの受付音や、運転状態をＬＥＤ等で表示するといった報知部の出力を低下させることで、静音化が図れるとともに、周囲の暗さに応じたＬＥＤ出力とすることで、就寝の際、表示が明る過ぎて気になって眠れないということもなくなり、使用性の良い布材処理装置を提供することができる。
【００２３】
以下、本発明の実施の形態について、図面を参照しながら説明する。なお、この実施の形態によって本発明が限定されるものではない。
（実施の形態１）
本発明の第１の実施の形態の布材処理装置を、図１〜図７を参照しながら説明する。
【００２４】
図１は、本発明の第１の実施の形態における布材処理装置１００の概略的なブロック図である。図２は、布材処理装置１００に対する制御モードを表す概略的なタイミングチャートである。図３は、各制御モードにおける各負荷の制御状態一覧表である。図４は、脱臭制御で動作する布材処理装置１００の概略的なブロック図である。図５は、乾燥制御（排気制御）で動作する布材処理装置１００の概略的なブロック図である。図６は、布材処理装置１００の制御構造を表すブロック図である。図７（ａ）は、通常運転モード時の消費電力量を表すタイムチャート。図７（ｂ）は、静音運転モード時の消費電力量を表すタイムチャートである。
【００２５】
図１に示される実線矢印は、液体又は霧化液の流れを表し、点線矢印は、空気の流れを表す。
【００２６】
そして、収容空間ＳＲと、収容空間ＳＲ内に収容された布材ＦＢを表す。布材ＦＢは、衣類、タオルや他の布片であってもよい。布材処理装置１００は、霧化部２００と、送風部３００と、筐体６００と筐体６００の上部にハンガーを介して布材ＦＢを揺らすための駆動機構７００とを備える。
【００２７】
霧化部２００は、霧化液を収容空間ＳＲへ供給する。霧化液は、収容空間ＳＲ内の布材ＦＢに付着し、所定の効果を発揮する。霧化液が、水から生成される場合には、布材ＦＢの皺や臭いが除去される。霧化液は、他の液体から生成されても良い。例えば、虫除け効果、静電気除去効果や花粉除去効果や他の効果を生じ得る液体が、霧化液の生成に利用されても良い。
【００２８】
霧化部２００は、貯水槽２１１と、ポンプ２１２と、発生槽２２１と、超音波素子２２２と、吹出管２３０と、を備える。貯水槽２１１は、水を蓄える。ポンプ２１２は、水を
貯水槽２１１から吸引し、発生槽２２１へ水を送り込む。これにより、発生槽２２１内には、液層及び空気層が形成される。ポンプ２１２は、発生槽２２１内で固定された超音波素子２２２が液層によって囲まれるように、発生槽２２１内の水位を保つ。ポンプ２１２は、液位センサ２４０を用いたフィードバック制御を行う。超音波素子２２２は、液層内で超音波を発生する。この結果、水は超音波に曝され高い周波数で振動し、空気層内で水柱を形成する。水柱の周囲には、霧化された微粒子（霧化液）が漂う。超音波を用いた液体の霧化は、既知の霧化技術に基づいても良い。
【００２９】
送風部３００は、送風ファン３１０と、送気管３３０と、調整部３４０と、ヒータ３５０と、清浄化部としての除塵部３６０と脱臭部３７０と、吸引管３２０と、切替部３８０とを含む。送気管３３０は、主管３３３と、第１副管３３１と、第２副管３３２とを含む。主管３３３は、送風ファン３１０と調整部３４０との間で延びる。第１副管３３１は、調整部３４０と発生槽２２１との間で延びる。第２副管３３２は、調整部３４０と収容空間ＳＲとの間で延びる。吸引管３２０は、上流管３２３と、下流管３２４と、導気管３２５とを含む。上流管３２３は、吸引口３２１を規定する。上流管３２３は、吸引口３２１から切替部３８０への内部空気の流動経路を規定する。下流管３２４は、切替部３８０と送風ファン３１０との間で内部空気の流動経路を規定する。導気管３２５は、外部空間内の外部空気を導入するための導入口３２６を規定する。導気管３２５は、導入口３２６から切替部３８０への内部空気の流動経路を規定する。
【００３０】
筐体６００は、霧化部２００と、送風部３００と排気部６１０とを収容する。以下の説明において、筐体６００の外の空間は、「外部空間」と称する。筐体６００は、外部空間から収容空間ＳＲを区画する。本実施形態において、送風ファン３１０によって収容空間ＳＲから吸引された内部空気は、霧化液の供給や後述の加熱といった処理を受ける。したがって、以下の説明において、送風ファン３１０から送り出された空気は、「処理空気」と称する。
【００３１】
主管３３３は、処理空気を調整部３４０へ案内する。ヒータ３５０は、主管３３３内に配置され、主管３３３内の処理空気を加熱することができる。本実施形態において、ヒータ３５０は、熱源（加熱部）として例示される。
【００３２】
調整部３４０は、第１副管３３１を開放し、第２副管３３２を閉塞する。これにより、処理空気は、調整部３４０を通じて第１副管３３１に流入する。第１副管３３１は、処理空気を発生槽２２１へ案内し、処理空気は発生槽２２１内の霧化液を伴って、収容空間ＳＲへ流入する。これにより、布材処理装置１００は、布材ＦＢを霧化液に曝し、布材ＦＢは、霧化液によって湿らされる。
【００３３】
また、調整部３４０は、第１副管３３１を閉塞し、第２副管３３２を開放する。これにより、ヒータ３５０によって加熱された処理空気は、調整部３４０を通じて、第２副管３３２に流入する。第２副管３３２は、収容空間ＳＲに向けて開口した吹出口３３４を有する。第２副管３３２は、処理空気を収容空間ＳＲへ案内し、処理空気は、吹出口３３４から収容空間ＳＲへ吹き出される。吹出口３３４から吹き出された処理空気は、霧化液をほとんど含まないので、布材ＦＢを効率的に乾燥することができる。
【００３４】
図５において、制御部４００は、使用者が操作する運転モード切替部８００からの出力を入力して、駆動機構７００、切替部３８０、送風ファン３１０、ヒータ（加熱部）３５０、調整部３４０、霧化部２００に対して、制御信号を送り、布材処理装置１００を運転動作させる。
【００３５】
制御部４００は、布材処理装置１００に対して、図２に示す循環制御及び排気制御を行
う。
【００３６】
循環制御は、霧化制御と脱臭制御を含む。循環制御の後、排気制御が実行される。排気制御において、収容空間ＳＲ内の内部空気が外部空間に放出され、且つ、内部空気より低い湿度の外部空気が収容空間ＳＲへ供給されるので、布材ＦＢは、効率的に乾燥される。したがって、排気制御は、布材ＦＢを効率的に乾燥させるための乾燥制御として利用される。
【００３７】
図１に示される布材処理装置１００は、霧化制御で動作している。この霧化制御では、排気部６１０は、閉じられている。排気部６１０が開かれると、収容空間ＳＲは、外部空間に連通する。切替部３８０は、吸引口３２１と導入口３２６とを選択的に閉塞する。霧化制御の下で、切替部３８０は、吸引口３２１を開放する（即ち、切替部３８０は、上流管３２３によって規定される流動経路を開放する）。一方、切替部３８０は、導入口３２６を閉塞する（即ち、切替部３８０は、導気管３２５によって規定される流動経路を閉塞する）。
【００３８】
霧化制御の下で、送風ファン３１０が作動すると、収容空間ＳＲ内の内部空気は、吸引口３２１を通じて、上流管３２３に流入し、切替部３８０を通じて、下流管３２４に流入する。除塵部３６０は、下流管３２４に流入した内部空気から塵埃を除去し、脱臭部３７０は、内部空気から臭気成分を除去する。送風ファン３１０は、脱臭された内部空気を処理空気として、送気管３３０へ送り出す。処理空気の大部分は、調整部３４０によって、第１副管３３１へ分配される。少量の処理空気は、第２副管３３２へ流入する。第１副管３３１に流入した処理空気は、発生槽２２１内の霧化液を伴って、吹出口２３１から収容空間ＳＲへ吹き出される。この結果、収容空間ＳＲ内の布材ＦＢに霧化液が供給される。第２副管３３２に流入した処理空気は、吹出口３３４から吹き出される。この結果、塵埃は吹出口３３４から除去される。
【００３９】
図４の脱臭制御では、霧化制御と同様に排気部６１０は、閉じられている。切替部３８０は、吸引口３２１を開き、且つ、導入口３２６を閉じる。したがって、収容空間ＳＲ内の内部空気は、吸引口３２１から吸引され、送風ファン３１０によって、処理空気として調整部３４０へ送り込まれる。ヒータ３５０は、送風ファン３１０から調整部３４０へ向かう処理空気を加熱する。霧化制御とは異なり、調整部３４０は、処理空気の大部分を第２副管３３２へ分配する。少量の処理空気が、第１副管３３１へ分配される。霧化制御とは異なり、超音波素子２２２は停止している。したがって、第１副管３３１へ分配された処理空気は、霧化液をほとんど含むことなく、吹出口２３１から吹き出される。この結果、吹出口２３１から塵埃は除去される。ヒータ３５０によって加熱された大量の処理空気は、吹出口３３４から吹き出され、収容空間ＳＲ内の布材ＦＢは、効率的に脱臭並びに乾燥される。
【００４０】
図５の乾燥制御（排気制御）では、脱臭制御とは異なり、切替部３８０は、吸引口３２１を閉じ、且つ、導入口３２６を開く。したがって、送風ファン３１０が作動すると外部空間内の外部空気は、導入口３２６から吸引され、送風ファン３１０によって、処理空気として調整部３４０へ送り込まれる。脱臭制御と同様に、ヒータ３５０によって加熱された大量の処理空気は、吹出口２３１，３３４から吹き出される。この結果、収容空間ＳＲ内の気圧が上昇する。排気部６１０の動作は、収容空間ＳＲ内の気圧に依存しており、収容空間ＳＲ内の気圧が高くなれば、排気部６１０は自動的に開く。この結果、収容空間ＳＲ内の内部空気は、排気部６１０を通じて外部空間へ排気される。収容空間ＳＲ内の気圧が低ければ、排気部６１０は自動的に閉じる。排気部６１０が閉じている間、収容空間ＳＲへの処理空気の流入によって、収容空間ＳＲ内の気圧が上昇する。この動作を繰り返すことで、収容空間ＳＲ内の布材ＦＢは、効率的に乾燥される。
【００４１】
以上のように構成された布材処理装置について、以下その動作、作用を説明する。
【００４２】
より早く脱臭・乾燥・皺取りをさせることを目的に、図６で運転モード切替部８００にて通常運転モードが選択されると、制御部４００は、運転モード切替部８００からの制御信号を入力して、図２及び図３に示す循環制御、排気制御からなる一連の運転（シーケンス）を実行する。
【００４３】
制御部４００は、霧化制御の開始時に、タイマ部４１０からの情報を元に、調整信号を調整部３４０へ出力する。調整部３４０は、調整信号に応じて、第１副管３３１へ連なる流路を拡張する一方で、第２副管３３２へ連なる流路を狭める。この結果、霧化制御の間、第１副管３３１内の処理空気の流量は、高い水準に設定され、一方、第２副管３３２内の処理空気の流量は、低い水準に設定される。
【００４４】
また、制御部４００は、霧化制御の開始時に、タイマ部４１０からの情報を元に、切替信号を切替部３８０へ出力する。切替部３８０は、切替信号に応じて、吸引口３２１を開き、且つ、導入口３２６を閉じる。この結果、収容空間ＳＲ内の内部空気は、吸引口３２１を通じて、吸引管３２０に流入する。
【００４５】
また、制御部４００は、霧化制御の開始時に、タイマ部４１０からの情報を元に、駆動信号を、霧化部２００、送風ファン３１０、駆動機構７００へそれぞれ出力する。この結果、霧化部２００、送風ファン３１０及び駆動機構７００が動作し、布材処理装置１００は、霧化制御下で動作することとなる。
【００４６】
そして、制御部４００は、タイマ部４１０からの入力情報により所定の霧化制御期間Ｔ１０が終了すると、次の循環制御の運転である脱臭制御に移行する。
【００４７】
制御部４００は、脱臭制御の開始時に、タイマ部４１０からの情報を元に、制御信号をヒータ３５０に出力する。この結果、ヒータ３５０は、制御部４００の制御下で、熱エネルギを放出する。
【００４８】
また、制御部４００は、脱臭制御の開始時に、タイマ部４１０からの情報を元に、調整信号を、調整部３４０へ出力する。調整部３４０は、調整信号に応じて第１副管３３１へ連なる流路を狭くする一方で、第２副管３３２へ連なる流路を拡張する。この結果、脱臭制御の間、第１副管３３１内の処理空気の流量は、低い水準に設定され、一方、第２副管３３２内の処理空気の流量は、高い水準に設定される。
【００４９】
また、制御部４００は、脱臭制御の開始時に、タイマ部４１０からの情報を元に、停止信号を霧化部２００へ出力する。霧化部２００は、停止信号に応じて、霧化運転を停止する。
【００５０】
そして、制御部４００は、タイマ部４１０からの入力情報により所定の脱臭制御期間Ｔ２０が終了すると、次の排気制御の運転である乾燥制御に移行する。
【００５１】
制御部４００は、乾燥制御の開始時に、タイマ部４１０からの情報を元に、切替信号を切替部３８０へ出力する。切替部３８０は、切替信号に応じて、吸引口３２１を閉じ、且つ、導入口３２６を開く。この結果、外部空間の外部空気は、導入口３２６を通じて吸引管３２０に流入する。
【００５２】
そして、制御部４００は、タイマ部４１０からの入力情報により所定の乾燥制御期間Ｔ
３０の終了により、一連の布材処理装置１００の運転終了となる。
【００５３】
本発明の布材処理装置１００は、以上のように行われる通常運転モードと、通常運転モード時よりも静音化するように動作する静音運転モードとを備えている。
【００５４】
静音化は、駆動機構７００によるハンガーを介して布材ＦＢを揺らす揺動量と、送風量を決める送風ファン３１０の回転数を低減させることで運転騒音の音源のほぼ全てを静音化することができる。
【００５５】
そして、駆動機構７００による揺動量と、送風ファン３１０による送風量を低減した分、通常運転モードに比べて衣類処理の仕上がりが低下するのを回避するため、図７（ａ）に示す布材処理装置１００の通常運転モード時の消費電力量（図の面積Ｗ１）と、図７（ｂ）示す静音運転モード時の消費電力量（図の面積Ｗ２）とが合計でほぼ同じ消費電力量になるよう運転時間を長く設定する。加えて、送風ファン３１０による送風量を低減し、かつ、運転時間を長くした分、ヒータ３５０の通電量も低下させている。
【００５６】
このように、運転時間を長く設定することで、通常運転モードと同等の衣類の仕上がりになるように制御している。
【００５７】
以上のような制御をすることで、使用者が就寝している夜間に、使用者が不快に思う騒音をたてることなく、衣類に脱臭・乾燥・皺を解消する処理を施して、翌朝、処理の施された衣類を提供することができる使用性の良い布材処理装置を提供することができる。
【００５８】
（実施の形態２）
本発明の第２の実施の形態の布材処理装置を、図１〜図７を参照しながら説明する。第２の実施の形態の布材処理装置は、第１の実施の形態と同一構成部品で、タイマ部４１０が、時計機能を備えたこととその制御方法のみが異なる。以下その動作、作用を説明する。
【００５９】
ここでは、午後９：００〜翌日の午前６：００の範囲ＴＡ１の運転は、静音運転モードで処理する例を示す。例えば、午後８：３０に、運転モード切替部８００にて通常運転モードが選択されたとすると、制御部４００は、通常運転モードでの運転を開始する。制御部４００は、実施の形態１で示した制御にしたがって制御を行う。時間が経過して、タイマ部４１０により計時された時刻が、午後９：００になると、制御部４００は、予め定められた時間帯の範囲ＴＡ１であると判断し、運転モードを自動的に静音運転モードでの運転に切替える制御を行う。例えば、図７（ａ）の脱臭制御の途中だったとすると、制御部４００は、図７（ｂ）で示される脱臭制御の始めから制御を継続する。制御部４００は、運転開始からの経過時間で切替えるのではなく、切替えた静音運転モードでの同じ制御（ここでは、脱臭制御）の始めから制御を開始継続する。この制御によって、霧化制御・脱臭制御・乾燥制御の各途中で静音運転モードに切替った場合でも、各制御の最初から制御を行うので、布材ＦＢに対して確実に各行程の処理を施すことができる。
【００６０】
このように、周囲に配慮した低騒音の運転に自動的に切替える使用性の良い布材処理装置を提供することができる。
【００６１】
（実施の形態３）
本発明の第３の実施の形態の布材処理装置を、図１〜図５、図７、図８を参照しながら説明する。第３の実施の形態の布材処理装置は、第２の実施の形態と同一構成部品であり、図８で示す運転状態等を報知する報知部８１０を追加している。
【００６２】
図８は、本発明の実施の形態３における布材処理装置の制御構造を示すブロック図である。図９は、同布材処理装置の報知部の正面図である。
【００６３】
布材処理装置１００は、運転モード切替部８００で選択された運転状態を、報知する報知部８１０を備える（図９にその報知例を示す）。以下その動作、作用を説明する。
【００６４】
深夜電力契約時には、供給される電力の時間帯が決められており、一般的には午後１１：００〜翌日の午前７：００までである。
【００６５】
布材処理装置１００で処理を施したい布材ＦＢが翌日の仕上がりで良い場合、電気料金が安価な深夜電力の時間帯内で布材処理装置１００を運転するのが経済的である。午後１１：００になってから使用者が運転を開始すれば良いが、操作が煩わしい。
【００６６】
そこで、本発明の第３の実施の形態の布材処理装置１００の制御部４００は、運転モード切替部８００にて静音運転モードが選択された時間が、タイマ部４１０からの情報で、午後１１：００〜午前７：００の範囲ＴＡ２にあると判断した場合、静音運転モードの運転をすぐには開始せず、深夜電力供給時間帯になるのを待つ待機モードに移行する。つまり、制御部４００は、タイマ部４１０からの情報が午後１１：００になるまで運転を開始しない。
【００６７】
そして、制御部４００は、運転開始が午後１１時であることを使用者に伝えるために、図９の例で示すように、報知部８１０の深夜電力のＬＥＤ８１１を点灯させて、待機状態であることを報知する。
【００６８】
そして、制御部４００は、タイマ部４１０からの情報が午後１１：００になれば、報知部８１０の静音運転モードが動作していることを示すＬＥＤ８１１も点灯させて、運転を開始する。また、制御部４００は、ＬＥＤ８１１への出力を通常よりも低下させる（暗くする）制御を行う。これにより、午後１１時という夜の暗さに応じたＬＥＤ出力とすることで、就寝の際、表示部が明る過ぎて気になって眠れないということも無くなり、電気料金が安価な深夜電力の有効利用も自動的に行うので、使用性の良い布材処理装置を提供することができる。
【産業上の利用可能性】
【００６９】
以上のように、本発明にかかる布材処理装置は、静かな夜間でも騒音を抑えて効率よく運転することができて、電気料金の安価な深夜電力を自動的に有効利用するので家庭用、業務用の布材処理装置に適用できる。
【符号の説明】
【００７０】
１００  布材処理装置
２００  霧化部
３００  送風部
３１０  送風ファン
３５０  ヒータ（加熱部）
３６０  除塵部（清浄化部）
３７０  脱臭部（清浄化部）
４００  制御部
４１０  タイマ部（時計部）
６００  筐体
７００  駆動機構
８００  運転モード切替部
８１０  報知部
ＦＢ  布材
ＳＲ  収容空間
【図１】
2016013364.tif 000003
【図２】
2016013364.tif 000004
【図３】
2016013364.tif 000005
【図４】
2016013364.tif 000006
【図５】
2016013364.tif 000007
【図６】
2016013364.tif 000008
【図７】
2016013364.tif 000009
【図８】
2016013364.tif 000010
【図９】
2016013364.tif 000011